(57)【特許請求の範囲】
【請求項１】
回路遮断器システム（２０）を動作させる方法であって、
第一の回路遮断器用の、非抑制短時間閾値（１７６）と、傾斜を有する非抑制Ｉ２ｔ領域（１７８）と、時間遅延領域（１８０）と、非抑制瞬間閾値（１８２）とを有する第一のユーザ定義トリップ曲線（８４、８６）を定義するステップと、
前記第一の回路遮断器（２６）用の、傾斜を有する抑制Ｉ２ｔ領域（９１）と、時間遅延領域と、抑制瞬時閾値とを有する第二のユーザ定義トリップ曲線（８７、８９）であって、前記第二のユーザ定義トリップ曲線（８７、８９）は、前記第一のユーザ定義トリップ曲線（８４、８６）と連続せず、重複せず、前記第二のユーザ定義トリップ曲線（８７、８９）は、前記第一のユーザ定義トリップ曲線（８４、８６）の前記非抑制瞬間閾値（１８２）又は前記非抑制Ｉ２ｔ領域（１７８）よりも高い動作レベルの抑制瞬時閾値又は抑制Ｉ２ｔ領域（９１）を有している、前記第二のユーザ定義トリップ曲線（８７、８９）を定義するステップと、
前記第一の回路遮断器（２６）からの電力を受領するように結合された第二の回路遮断器（４２）用の、非抑制短時間閾値（１７６）と、傾斜を有する非抑制Ｉ２ｔ領域（１７８）と、時間遅延領域と、非抑制瞬間閾値（１８２）とを有する、前記第二のユーザ定義トリップ曲線（８７、８９）と重複しない第三のユーザ定義トリップ曲線（８４、８６）を形成するステップと、
前記第二のユーザ定義トリップ曲線（８７、８９）の前記抑制瞬時閾値と前記抑制Ｉ２ｔ領域（９１）の前記傾斜を修正（１５８）するステップであって、前記第二のユーザ定義トリップ曲線（８７、８９）の前記抑制瞬時閾値と前記抑制Ｉ２ｔ領域（９１）の前記傾斜が、前記第三のユーザ定義トリップ曲線（８４、８６）の前記非抑制瞬間閾値（１８２）と前記非抑制Ｉ２ｔ領域（１７８）の前記傾斜よりも高い動作レベルを有している、前記ステップと、
前記第一の回路遮断器（２６）において前記第二の回路遮断器（４２）からインタロック信号（１１０）を受信（１２０）するステップと、
前記第一の回路遮断器（２６）のトリップ応答を、前記インタロック信号を受信するステップに応答して、前記第一のユーザ定義トリップ曲線（８４、８６）から前記第二のユーザ定義トリップ曲線（８７、８９）へ変更するステップと、を備える方法。
【請求項２】
更に、
前記第二の回路遮断器（４２）により電流を監視（１０４）するステップと、
障害閾値を上回る電流を検出したかを前記第二の回路遮断器（４２）により検出（１０６）するステップと、
障害閾値を上回る電流を検出した場合、前記第二の回路遮断器（４２）から前記第一の回路遮断器（２６）へ前記インタロック信号（１１０）を送信（１０８）するステップと、を備える、請求項１記載の方法。
【請求項３】
更に、
前記第二のトリップユーザ定義曲線（８７、８９）の抑制時間遅延領域（１６６）を修正するステップを備え、前記第二のユーザ定義トリップ曲線（８７、８９）の抑制時間遅延領域（１６６）は、前記第三のユーザ定義トリップ曲線の時間遅延領域より小さい時間値を有する、請求項２記載の方法。
【請求項４】
更に、前記第一のユーザ定義トリップ曲線（８４、８６）の非抑制短時間閾値（１７６）と、前記非抑制Ｉ２ｔ領域（１７８）の傾斜の角度と、前記時間遅延領域（１８０）と、前記非抑制瞬間閾値（１８２）とを修正するステップを備える、請求項２記載の方法。
【請求項５】
更に、前記第三のユーザ定義トリップ曲線（８４、８６）の非抑制短時間閾値（１７６）と、前記非抑制Ｉ２ｔ領域（１７８）の傾斜の角度と、前記時間遅延領域（１８０）と、前記非抑制瞬間閾値（１８２）とを修正するステップを備える、請求項４記載の方法。
【請求項６】
Ｉ２ｔ領域と、瞬間閾値とを有するトリップ曲線を有している下流の回路遮断器と共に直列で配置された回路遮断器（２６）であって、
電流センサ（５２）と、
前記電流センサ（５２）に動作可能に結合され且つ実行可能なコンピュータ命令に応答して第一のユーザ定義トリップ曲線（８４、８６）を使用する非抑制モードにおいて動作し、前記下流の回路遮断器から受信したインタロック信号に応じて第二のユーザ定義トリップ曲線（８７、８９）を使用する抑制モードにおいて動作するトリップユニット（４８）と、
前記トリップユニット（４８）に動作可能に結合されたユーザインタフェース（４６）と、を備え、
前記第一のユーザ定義トリップ曲線（８４、８６）と前記第二のユーザ定義トリップ曲線（８７、８９）とは連続せず、重複せず、
前記抑制モードは、前記下流の回路遮断器の前記トリップ曲線と重複せずに高いレベルとなるユーザ定義Ｉ２ｔ領域とユーザ定義瞬間閾値を有する回路遮断器。
【請求項７】
前記トリップユニット（４８）は、更に、前記ユーザインタフェース（４６）からの第二の信号（１１０）に応答して、前記第一のユーザ定義トリップ曲線のパラメータを修正する、請求項６の回路遮断器（２６）。
【請求項８】
前記第一のユーザ定義トリップ曲線（８４、８６）のパラメータは、長時間閾値と、接地障害閾値と、短時間閾値と、時間遅延領域と、瞬間閾値とにより構成された集合から選択される、請求項７の回路遮断器（２６）。
【請求項９】
前記トリップユニット（４８）は、更に、前記ユーザインタフェース（４６）からの第三の信号に応答して、前記第二のユーザ定義トリップ曲線（８７、８９）のパラメータを修正し、
前記第二のユーザ定義トリップ曲線（８７、８９）のパラメータは、長時間閾値と、接地障害閾値と、短時間閾値と、時間遅延領域と、瞬間閾値とにより構成された集合から選択される、請求項６の回路遮断器（２６）。
【請求項１０】
第一及び第二の回路遮断器を有する回路遮断器システムであって、
前記第一の回路遮断器は、第一のトリップユニットを含み、
前記第一のトリップユニットは、実行可能なコンピュータ命令に応答して、非抑制モードと抑制モードにおいて動作し、
前記非抑制モードは、第一のトリップ曲線を含み、
前記抑制モードは、第二のトリップ曲線を含み、
前記第二のトリップ曲線は、前記第一のトリップ曲線と連続せず、重複せず、
前記第二のトリップ曲線は、Ｉ２ｔ領域と瞬時閾値とを有し、
前記第二のトリップ曲線は、前記第一のトリップ曲線よりも高い動作レベルを有し、
前記第一の回路遮断器は、更に、前記第一のトリップユニットに電気的に結合された第一の電流センサと、前記第一のトリップユニットに動作可能に結合され第一のユーザインタフェースとを含み、
前記第一のトリップユニットは、前記第一のユーザインタフェースからの第一の信号に応じて第二のトリップ曲線の前記Ｉ２ｔ領域と前記瞬時閾値とのパラメータを修正し、
前記第二の回路遮断器は、前記第一の回路遮断器から電力を受領するように電気的に結合され、
前記第二の回路遮断器は、第一のトリップユニットとの通信可能に結合された第二のトリップユニットを含み、
前記第二のトリップユニットは、実行可能なコンピュータ命令に応答して、Ｉ２ｔ領域と瞬時閾値とを有する第三のトリップ曲線を含む非抑制モードと第四のトリップ曲線を含む抑制モードの何れかにおいて動作し、
前記第三のトリップ曲線のＩ２ｔ領域と瞬時閾値とは、前記第二のトリップ曲線のＩ２ｔ領域と瞬時閾値と重複せず、より低い動作レベルを有し、
前記第二の回路遮断器は、更に、前記第二のトリップユニットに電気的に結合される第二の電流センサと、前記第二のトリップユニットに動作可能に結合されあ第二のユーザインタフェースとを有し、
前記第二のトリップユニットは、前記第二のユーザインタフェースからの第二の信号に応じて前記第三のトリップ曲線のパラメータを修正し、
前記第二の回路遮断器は、前記第二の電流センサから前記第三のトリップ曲線により規定された障害閾値を上回る電流が検出されたことを示す信号に応答して、前記第一の回路遮断器にインタロック信号（１１０）を送信し、
前記第一の回路遮断器は、前記インタロック信号の受信に応答して、前記非抑制モードから前記抑制モードへ切り替える、回路遮断器システム。
【発明の詳細な説明】
【技術分野】
【０００１】
本明細書の開示対象は、配電システムにおいて回路遮断器間にゾーン選択インタロックを提供するシステムに関する。特に、本明細書の開示対象は、瞬間トリップ状態中の下流回路遮断器と上流回路遮断器との間でのゾーン選択インタロック用のシステムに関する。
【背景技術】
【０００２】
気中回路遮断器は、配電システムにおいて一般的に使用される。通常の気中回路遮断器（「ＡＣＢ」）は、負荷と呼ばれる電力消費物に電源を接続するための構成要素の組立体を備える。回路遮断器が接続された電気回路を、本明細書では保護電気回路と呼ぶ。これらの構成要素は、主接点組立体と呼ばれる。この組立体において、主接点は、通常、開状態にあり、電源から負荷へ移動する電力用の経路を遮断するか、或いは、閉状態にあり、電源から負荷へ移動する電力用の経路を提供する。ＡＣＢは、保護回路へ流れる電流を検知して、検知電流の大きさを所定の閾値と比較することが可能な、トリップユニットと呼ばれるデバイス及びセンサを更に含む。トリップユニットの閾値と電流の大きさとのトリップ特性は、一般に「トリップ曲線」と呼ばれるグラフ形式において表示され、トリップユニットが任意の過負荷条件下においてトリップするのに要する時間の長さをユーザに示す。トリップ曲線パラメータの外側において保護回路の過電流障害状態を検出した時、トリップユニットは、主接点組立体を開放させる機械的連動を起動する。
【０００３】
ＡＣＢの下流には、他のＡＣＢ、或いは、配線用遮断器（「ＭＣＣＢ」）と呼ばれる場合もある一個以上の容量の小さい回路遮断器を設置して、配電システムの一部を更に保護及び分離し得る。ＭＣＣＢは、複数の容量で利用可能であり、複数のＭＣＣＢを各層内に配置した状態で階層又は段階を成して配列される場合が多い。ＭＣＣＢは、気中回路遮断器と同様に、機械的連動組立体を介して開閉させる主接点組立体を含む。各ＭＣＣＢに関連するトリップユニットは、保護回路のその部分を流れる電流を検知する。ＡＣＢと同様に、ＭＣＣＢは、トリップ曲線を利用して、任意の状態が所望のパラメータの外側にある時期を判断する。
【０００４】
ＡＣＢ及びＭＣＣＢは両方とも障害状態に反応するため、電気的障害により、ＡＣＢとＭＣＣＢとの両方がそれぞれの接点組立体を開放する状況が生じ得る。一般には、障害に最も近い保護回路の最小の部分が遮断されるように、一般にトリッピングと呼ばれる障害電流の遮断を、障害に最も近い回路遮断器に行わせることが望ましい。ソース回路遮断器と、回路から出た任意の回路遮断器とにより区切られた回路の部分は、ソース回路遮断器の保護区域と呼ばれる。区域が障害状態となった場合、障害区域と呼ばれる。障害に近い障害電流を遮断することで、他の保護回路に接続された他の動作の途絶は、防止されるか、或いは少なくとも途絶の量が最小化される。上流のＡＣＢ又は上流のＭＣＣＢをトリップさせることを回避するために、保護回路上の回路遮断器のシステムを協調させる。選択的な協調により、各回路遮断器のトリップ曲線は、障害区域より上の回路遮断器の機能を損なうことなく、下流回路遮断器に最初にトリップする機会を与えるように調整される。
【０００５】
回路遮断器システムは、更に、ゾーン選択インタロック（「ＺＳＩ」）の仕組みを取り入れ得る。ＺＳＩシステムにおいて、下流回路遮断器は、障害検出時に上流回路遮断器と通信する。上流回路遮断器は、その後、トリッピング応答を変更させ、下流回路遮断器が障害を除去できるようにする。したがって、上流回路遮断器は、二種類の動作モードを有する。これらのモードは、通常、「抑制」及び「非抑制」動作と呼ばれる。非抑制モードにおいて、回路遮断器は、最速のデフォルトトリップ曲線の下で動作し、操作者は修正不能である。回路遮断器間の通信におけるタイミングの問題のため、最速トリップ曲線は、十分な保護を確保するために使用される。上流回路遮断器が障害の通信を受信した時、上流回路遮断器は、抑制動作モードに切り替わる。抑制モードにおいて、上流回路遮断器は、トリップ曲線を、操作者が設定した曲線へ移行させ、これは上流回路遮断器のトリッピング応答を遅延させる結果をもたらす。トリップ曲線の切り替えることにより、上流回路遮断器は、下流回路遮断器が障害を除去するのを可能にしながら、自身の機能を実行できる。したがって、ゾーン選択インタロックシステムにより、操作者は、回路遮断器システムの機能を損なうことなく、障害の影響を最小限にできる。
【発明の概要】
【発明が解決しようとする課題】
【０００６】
カスケード型の時間遅延を使用するように協調させた既存の回路遮断器は、本来の目的には適しているが、特に、操作者がトリップ曲線を定義する能力と、ＺＳＩ抑制モードにおける動作時の回路遮断器の協調とに関して、更に改善の必要性が存在する。
【課題を解決するための手段】
【０００７】
回路遮断器を動作させる方法を提供する。方法は、第一の回路遮断器に対する第一のユーザ定義トリップ曲線を定義するステップを含む。第一のトリップ曲線は、非抑制短時間閾値と、傾斜を有する非抑制Ｉ２ｔ領域と、時間遅延領域と、非抑制瞬間閾値とを含む。第二のユーザ定義トリップ曲線は、第一の回路遮断器に対して定義され、第二のトリップ曲線は、傾斜を有する抑制Ｉ２ｔ領域と、時間遅延とを含む。ユーザ定義第二トリップ曲線の抑制Ｉ２ｔ領域の傾斜は、修正される。その後、第一の回路遮断器においてインタロック信号を受信する。最後に、インタロック信号の受信に応答して、第一の回路遮断器のトリップ応答を、第一のトリップ曲線から第二のトリップ曲線へ変更する。
【０００８】
更に、電流センサを有する回路遮断器を提供する。トリップユニットは、電流センタに適切に動作可能に結合される。トリップユニットは、更に、実行可能なコンピュータ命令に応答し、非抑制モード及びインタロック信号に応じて抑制モードにおいて動作する。ユーザインタフェースは、トリップユニットに適切に動作可能に結合される。トリップユニットは、更に、ユーザインタフェースから第一の信号に対する実行可能なコンピュータ命令に応答して、非抑制モードにより使用する第一のユーザ定義トリップ曲線と、抑制モードにより使用する第二のユーザ定義トリップ曲線とを作成する。
【０００９】
更に、第一及び第二の回路遮断器を有する回路遮断器システムを提供する。第一の回路遮断器は、第一のトリップユニットを含む。第一のトリップユニットは、実行可能なコンピュータ命令に応答して、非抑制モード又は抑制モードにおいて動作する。非抑制モードは、第一のトリップ曲線を含み、抑制モードは、第二のトリップ曲線を含む。第一の回路遮断器は、更に、第一のトリップユニットに電気的に結合された第一の電流センサを含む。更に、第一のユーザインタフェースは、第一のトリップユニットに適切に動作可能に結合され、第一のトリップユニットは、実行可能なコンピュータ命令に応答して、第一のユーザインタフェースからの第一の信号に応じて第一のトリップ曲線のパラメータを修正する。
【００１０】
第二の回路遮断器は、第一の回路遮断器から電力を受領するように電気的に結合される。第二の回路遮断器は、第一のトリップユニットとの通信用に結合された第二のトリップユニットを含む。第二のトリップユニットは、実行可能なコンピュータ命令に応答して、抑制モード又は非抑制モードの何れかにおいて動作し、非抑制モードは、第三のトリップ曲線を含み、抑制モードは、第四のトリップ曲線を含む。第二の電流センサは、第二のトリップユニットに電気的に結合される。更に、第二のユーザインタフェースは、第二のトリップユニットに適切に動作可能に結合され、第二のトリップユニットは、実行可能なコンピュータ命令に応答し、第二のユーザインタフェースからの第二の信号に応じて第三のトリップ曲線のパラメータを修正する。
【図面の簡単な説明】
【００１１】
【図１】実施形態例による回路遮断器のシステムを有する保護電気回路を示す概略図である。
【図２】実施形態例による回路遮断器トリップユニットを示す概略図である。
【図３】非抑制モードにおける回路遮断器トリップ曲線の例を示す図である。
【図４】上流回路遮断器が抑制モードである回路遮断器トリップ曲線の例を示す図である。
【図５】実施形態例による下流回路遮断器及び上流回路遮断器の動作を示すフローチャートである。
【図６】ユーザ定義可能トリップ曲線パラメータを示す概略図である。
【図７】ユーザ定義可能トリップ曲線設定を示すフローチャートである。
【図８】図１の回路遮断器の実施形態例のトリップ曲線を示す部分概略図である。
【図９】別の実施形態の回路遮断器システムを示す概略図である。
【図１０】非抑制動作モードにおける図９の回路遮断器システムに対するトリップ曲線を示す図である。
【図１１】抑制動作モードにおける図９の回路遮断器システムに対するトリップ曲線を示す図である。
【発明を実施するための形態】
【００１２】
以下、同様の要素に同様の符号を付し且つ限定ではなく例示を目的とした図面を参照して説明する。
【００１３】
図１は、施設２８内の負荷２２用の保護電気回路に接続された回路遮断器システム２０を示す。例えば、公共配電網等の電源２４は、回路遮断器２６に接続される。回路遮断器２６は、通常、施設２８の引込口に配置される。実施形態例のような大きな施設において、回路遮断器２６は、電源２４からの三つの電気位相に接続して施設内の様々な副回路へ配電を行う機能及び容量を有する、気中回路遮断器（「ＡＣＢ」）である。電気負荷２２は、いかなる種類の負荷でもよく、照明システム、プロセスモータ、データセンタ、暖房及び換気システム等を含む。
【００１４】
ＡＣＢ２６の下流において、保護回路は、複数の副回路３０、３２、３４に分岐する。これらの副回路は、それぞれの負荷が必要とする特性を有するように供給電力の電気的特性を適応させる変圧器３６、３８等、付加的な配電及び制御機器を含み得る。変圧器３８は、例えば、照明回路による使用のため、電圧を１２０Ｖに減少させ得る。副回路３０、３２、３４のそれぞれは、更に微細化の進んだ下層副回路４０へと再分割し得る。副回路は、例えば、ヒューズ及び接触器等を含む、更なる電気制御機器を含み得る。副回路及び副回路の階層は無数に存在してよく、図１の図示は限定ではなく例示を目的としたものであることを理解されたい。
【００１５】
副回路の各層は、一般に、例えば回路遮断器４２又は回路遮断器４４のような回路遮断器で始まる。各回路遮断器４４は、ＡＣＢ２６からの電力を受領するように電気的に接続される。実施形態例において、こうした下層回路遮断器４２、４４は、配線用遮断器（「ＭＣＣＢ」）である。各ＭＣＣＢは、ＭＣＣＢに接続された下流負荷２２の要件に応じて単相又は多相にしてよい。
【００１６】
ＡＣＢ２６は、ディスプレイと、キーボード等の入力装置とを含み得るユーザインタフェース４６を含む。ディスプレイは、ＬＥＤ（発光ダイオード）ディスプレイ、ＬＣＤ（液晶ダイオード）ディスプレイ、ＣＲＴ（ブラウン管）ディスプレイ等にしてよい。ユーザインタフェース４６により、操作者は、例えば電源２４からの受領した電圧及び電流、又は例えば接点の位置といった、ＡＣＢ２６の動作条件及び状態を観察できる。ユーザインタフェース４６により、操作者は、更に、ＡＣＢ２６の様々な動作パラメータを変更できる。以下で更に詳細に説明するように、ユーザインタフェース４６により、操作者は、抑制モード及び非抑制モード両方のユーザ定義トリップ曲線を調節し、ピックアップ閾値を定義し、ゾーン選択動作が望ましいことと、どの種類の保護をインタロックするかとを確認し、下層回路の回路遮断器４２、４４に協調及びゾーン選択インタロックを提供するタイミングを遅延させることができる。
【００１７】
ＡＣＢ２６は、更に、プロセッサ５０と電流センサシステム５２とを有するトリップユニット４８を含む。トリップユニットは、ユーザインタフェース４６から命令を受領し、ＡＣＢの動作機構（図示無し）を起動するように、適切に動作可能に結合される。或いは、プロセッサ５０は、ユーザインタフェースを介して、或いは、電子データカード、音声起動手段、手動操作可能な選択制御手段、放射波長及び電子的又は電気的転送といった他の手段を介して、命令を受け付けてもよい。
【００１８】
以下に説明するように、トリップユニット４８は、回路遮断器を流れる電力の状態を監視する。プロセッサ５０は、電流センサ５２により測定した電流の電気的特性を、所定のパラメータと比較する。実施形態例において、所定のパラメータは、図４及び図５に示したような一本以上のトリップ曲線により定義される時間と電流レベルとの関数である。電気的特性が所定のパラメータの外部にある場合、プロセッサは、接点を開放して保護回路への電力を遮断させる動作機構を起動する。
【００１９】
ＡＣＢ２６と同様に、下流の下層ＭＣＣＢ４２、４４は、それぞれ、プロセッサと電流センサとを有するトリップユニット５４を含む。トリップユニット５４は、それぞれのＭＣＣＢ４２、４４を流れて下層副回路４０へ入る電流を監視するように配置される。各ＭＣＣＢ４２、４４は、更に、操作者がＭＣＣＢ４２、４４の状態を監視して、トリップ曲線等のユーザ定義可能設定を調整可能にするユーザインタフェース（図示無し）を含む。ＭＣＣＢ４２、４４のユーザインタフェースは、ＡＣＢ２６と同様にディスプレイ及びキーボードを含み得る。或いは、ＭＣＣＢ４２、４４のユーザインタフェースは、操作者が様々な工場設定パラメータを選択できるセレクタスイッチにしてもよい。
【００２０】
図２を参照して、トリップユニット４８、５４を説明する。トリップユニット４８、５４は実質的に異なる構造であってよいが、しかしながら、例示の目的から、共通する機能要素に関してトリップユニット４８、５４を説明することを理解されたい。プロセッサ５０は、データ及び命令を受け付け、命令を実行してデータを処理し、例えばユーザインタフェース４６等を介して、結果を提示することが可能な適切な電子デバイスである。プロセッサ５０は、マイクロプロセッサ、マイクロコンピュータ、ミニコンピュータ、光コンピュータ、ボードコンピュータ、複数命令セットコンピュータ、ＡＳＩＣ（特定用途向け集積回路）、縮小命令セットコンピュータ（ＲＩＳＣ）、アナログコンピュータ、デジタルコンピュータ、分子コンピュータ、量子コンピュータ、細胞コンピュータ、超電導コンピュータ、スーパーコンピュータ、ソリッドステートコンピュータ、シングルボードコンピュータ、バッファコンピュータ、コンピュータネットワーク、デスクトップコンピュータ、ラップトップコンピュータ、又は上記の何れかのハイブリッドにすることができる。
【００２１】
プロセッサ５０は、電流センサ５２により提供されたアナログ電圧又は電流レベルを、導体５６を流れる電流のレベルを示すデジタル信号に変換できる。或いは、電流センサ５２は、プロセッサ５０にデジタル信号を提供するように構成してよく、又はアナログ／デジタル（Ａ／Ｄ）コンバータ５８を電流センサ５２とプロセッサ５０との間に結合し、電流センサ５２により提供されたアナログ信号を、プロセッサ５０による処理用のデジタル信号に変換してよい。プロセッサ５０は、回路遮断器の制御するための様々な処理に対する入力として機能するデジタル信号を使用する。デジタル信号は、インタロック信号、主接点位置、閉鎖バネ位置等を含む、一種類以上のシステム２０のデータを表す。
【００２２】
電流センサ５２及び導体５６を一つのみ図２に図示して本明細書において説明するが、回路遮断器２６、４２、４４は、通常、回路遮断器の各電気位相又は「極」に付き、こうした電流センサ５２を一つ有していることを理解されたい。回路遮断器の各極は、単一の電気位相の電流を伝達する。例えば、ＡＣＢ２６のような「多極」回路遮断器において、回路遮断器は、幾つかの極、通常は三個又は四個の極を有し、それぞれが回路遮断器を介して異なる電気の位相を伝達する。極のそれぞれは、各極に対する主接点と、それぞれの動作機構とに個別に接続される。
【００２３】
以下に更に詳細に説明するように、プロセッサ５０は、データ伝送媒体６０により、システム２０の一つ以上の構成要素に適切に動作可能に結合される。データ伝送媒体６０は、ツイストペアケーブル、同軸ケーブル、及び光ファイバケーブル等を含む。データ伝送媒体６０は、更に、例えばＩＥＥＥ８０２．１１等のプロトコルを使用するワイヤレス、無線、及び赤外線信号伝送システム等を含む。データ伝送媒体６０は、更に、データ伝送媒体６０の区画を集約し、上流回路遮断器のトリップユニットに対する接続数を最小にする一つ以上のデータ中継部６１を含み得る。図１に示した実施形態において、伝送媒体６０は、ＡＣＢ２６を下層回路遮断器４２、４４に結合する。プロセッサ５０は、動作信号を提供し、データ伝送媒体６０を介してデータを受領するように構成される。
【００２４】
一般に、プロセッサ５０は、電流センサ５２からのデータを受け付け、電流センサ５２からのデータを所定の動作パラメータと比較することを目的とした特定の命令を受ける。プロセッサ５０は、回路遮断器動作機構用の作動デバイスへ、動作信号を提供する。プロセッサ５０は、更に、例えば、動作機構の位置を示す、回路遮断器内の他のセンサからのデータを受け付け得る。プロセッサ５０は、動作パラメータを所定の分散（例えば、電流及び時間）と比較し、所定の分散を上回る場合、操作者に対する警告を示すため、或いは主接点を開放させる動作機構を起動するために使用し得る信号を生成する。更に、信号は、抑制及び非抑制動作モード間での切り替えを行うことで、下流回路遮断器４２、４４と上流回路遮断器との間の応答を協調させる等、システム２０の動作に適応する他の制御方法を始動し得る。例えば、ＭＣＣＢ４２内の電流センサ５２が所定の閾値を上回る電流状態を検出した場合、これは、短絡による電気的障害状態を示し得る。以下に更に詳細に説明するように、例えばＡＣＢ２６等の上流回路遮断器が同じ障害状態の検出によりトリッピングするのを防止するために、ＭＣＣＢ４２のプロセッサ５０は、抑制動作モードへの切り替えを行って施設２８全体への電力の遮断を防止する命令をＡＣＢ２６に実行させるインタロック信号を、上流ＡＣＢ２６に対して送信し得る。電流センサ５２から受領したデータは、ディスプレイコンジット６２及びキーボードコンジット６４を介してプロセッサ５０に結合されたユーザインタフェース４６上に表示し得る
システム２０内の一つ以上の構成要素に結合されていることに加え、プロセッサ５０は、ローカルエリアネットワーク（ＬＡＮ）及びインターネット等の外部コンピュータネットワークにも結合される。ＬＡＮは、ＴＣＰ／ＩＰ（伝送制御プロトコル／インターネットプロトコル）、ＲＳ−２３２、ＭｏｄＢｕｓ等、周知のコンピュータ通信プロトコルを使用してプロセッサ５０と通信するように構成された一台以上のリモートコンピュータを相互接続する。
【００２５】
次に図２を参照すると、プロセッサ５０の概略図を図示している。プロセッサ５０は、ランダムアクセスメモリ（ＲＡＭ）デバイス６８と、不揮発性メモリ（ＮＶＭ）デバイス７０と、読み出し専用メモリ（ＲＯＭ）デバイス７２と、一つ以上の入出力（Ｉ／Ｏ）コントローラ７４と、データ伝送媒体６０とのインタフェースするデータ通信デバイス７６とに結合された中央演算処理装置又はコントローラ６６を含む。
【００２６】
Ｉ／Ｏコントローラ７４は、回路遮断器の動作を監視するセンサ７８と、これらのデバイス及びデータバス８０間にデジタルデータを提供するためのユーザインタフェース４６とに結合される。Ｉ／Ｏコントローラ７４は、センサ７８からアナログデータ信号を受領するアナログ／デジタル（Ａ／Ｄ）コンバータ８２にも結合される。
【００２７】
データ通信デバイス７６は、データ伝送媒体６０がサポートするデータ通信プロトコルにおいて、プロセッサ５０とデータ伝送媒体６０との間の通信を提供する。ＲＯＭデバイス７２は、コントローラ６６用のアプリケーションコード、例えば、初期化パラメータを含む主機能ファームウェアと、ブートコードとを格納する。アプリケーションコードは、更に、インタロック信号の受信に応答して回路遮断器動作機構を起動すること、警告を生成すること、及びトリッピングを遅延させることを含む、任意の回路遮断器動作制御方法をコントローラ６６に実行させるための、図４に示したプログラム命令を含む。
【００２８】
ＮＶＭデバイス７０は、ＥＰＲＯＭ（消去可能プログラマブル読み出し専用メモリ）チップ、ディスクドライブ等、任意の不揮発性メモリの形態となる。
【００２９】
ＮＶＭデバイス７０には、アプリケーションコード用の様々な動作パラメータが格納される。様々な動作パラメータは、キーパッドを使用してローカルで、或いは代わりにリモートコンピュータを使用して、ＮＶＭデバイス７０へ入力できる。アプリケーションコードをＲＯＭデバイス７２ではなくＮＶＭデバイス７０に格納可能であることは認識されよう。
【００３０】
プロセッサ５０は、図５に示したアプリケーションコードにおいて実現される動作制御方法を含む。こうした方法は、通常はソフトウェアの形態で、コントローラ６６による実行の対象として書かれたコンピュータ命令において実現される。ソフトウェアは、アセンブリ言語、ＶＨＤＬ（Ｖｅｒｉｌｏｇ  Ｈａｒｄｗａｒｅ  Ｄｅｓｃｒｉｐｔｉｏｎ  Ｌａｎｇｕａｇｅ）、ＶＨＳＩＣ  ＨＤＬ（Ｖｅｒｙ  Ｈｉｇｈ  Ｓｐｅｅｄ  ＩＣ  Ｈａｒｄｗａｒｅ  Ｄｅｓｃｒｉｐｔｉｏｎ  Ｌａｎｇｕａｇｅ）、Ｆｏｒｔｒａｎ（ｆｏｒｍｕｌａ  ｔｒａｎｓｌａｔｉｏｎ）、Ｃ、Ｃ＋＋、Ｖｉｓｕａｌ  Ｃ＋＋、Ｊａｖａ（商標）、ＡＬＧＯＬ（ａｌｇｏｒｉｔｈｍｉｃ  ｌａｎｇｕａｇｅ）、ＢＡＳＩＣ（ｂｅｇｉｎｎｅｒｓ  ａｌｌ−ｐｕｒｐｏｓｅ  ｓｙｍｂｏｌｉｃ  ｉｎｓｔｒｕｃｔｉｏｎ  ｃｏｄｅ）、ｖｉｓｕａｌ  ＢＡＳＩＣ、ＡｃｔｉｖｅＸ、ＰＨＰ、Ｐｅｒｌ、ＨＴＭＬ（ＨｙｐｅｒＴｅｘｔ  Ｍａｒｋｕｐ  Ｌａｎｇｕａｇｅ）、及び上記の任意の組み合わせ又は少なくとも一つの派生物等を含む、任意の言語においてエンコードできる。更に、操作者は、スプレッドシート又はデータベースといった既存のソフトウェアアプリケーションを使用して、様々なセルをアルゴリズムにおいて列挙された変数に相関させることができる。更に、ソフトウェアは、他のソフトウェアから独立すること、或いは、統合ソフトウェアの形態等、他のソフトウェアに依存することが可能である。
【００３１】
トリップユニット４８、５４内のＮＶＭ７０は、回路遮断器２６、４２、４４の動作に対するパラメータのデータを含む。このデータは、図３に示したような非抑制トリップ曲線８４、８６と、図４の抑制トリップ曲線８７、８９とを含む。以下に詳細に説明するように、抑制及び非抑制動作モードのトリップ曲線は、共にユーザ定義可能である。これらのトリップ曲線８４、８６、８７、８９は、望ましい電流レベルと望ましくない電流レベルとの間の境界を時間数の関数として定める。本明細書における例示の目的で、トリップ曲線８４、８７は、下流回路遮断器用のトリップ曲線を表し、一方、トリップ曲線８６、８９は、上流回路遮断器用のトリップ曲線を表す。配電システムでは多数の異なる種類の障害状態が生じ得る。当技術において周知であるように、トリップ曲線８４、８６は、センサ許容差及び機械的反応時間等の要素を考慮した「帯域」又は範囲によりグラフに表現される。過負荷領域８８或いは長時間領域と呼ばれる場合の多い一領域は、上昇した電流レベルの存在する期間が長すぎる場合に、回路遮断器２６、４２、４４をトリップさせる。例えば、モータ又はコンプレッサ等の多数のデバイスが同時に始動し、回路内の電流の一時的な上昇が発生した場合に、過負荷が生じ得る。過負荷領域のトリップ曲線の曲率は、一時的な状態による望ましくない又は「迷惑な」トリッピングが無い状態で、回路遮断器が機能性を維持できるようにするためのものである。一般に短時間ピックアップ領域９６、９８と呼ばれる特定の電流レベルでは、配電システム内の配線に損傷を与える電位を形成する高い障害レベルのため、回路遮断器の反応時間は減少する。更にトリップ曲線を進むと、一般に瞬間ピックアップ領域９０と呼ばれる領域となる。障害の大きさのため、回路遮断器は、感知し得る遅延が殆ど又は全く無い状態でトリップする。瞬間領域は、例えば、短絡状態等、高レベルの障害が発生した時に回路遮断器をトリップさせるためのものである。トリップ曲線の最終領域は、「オーバライド」領域（図示無し）と呼ばれる。オーバライド領域の目的は、回路遮断器への損傷を防止することである。図３は一対のトリップ曲線を示しているが、回路遮断器２６、４２、４４のそれぞれは、回路遮断器のサイズと、回路遮断器が取り付けられる回路の態様に応じて、異なるトリップ曲線を有し得ることを理解されたい。更に、全ての回路遮断器が、上述の全ての領域を取り入れるとは限らない。例えば、オーバライド領域は、全ての回路遮断器が利用するとは限らない。トリップユニット４８、５４は、望ましくない量の電流が導体からニュートラル又は接地へと流れる接地障害等、他の障害状態も検出し得る。
【００３２】
実施形態例において、回路遮断器２６、４２、４４により、操作者は、特定の用途向けにトリップ曲線８４、８６、８７、８９を定義できる。操作者がＡＣＢ２６、ＭＣＣＢ４２、及びＭＣＣＢ４４間の協調を更に正確に定義可能とする際に有利となるように、操作によりトリップ曲線８４、８６、８７、８９又はその一部を変更又は定義し得る。図４に示したように、操作者は、回路遮断器システムが所望の性能を提供できるように、即ち、下流回路遮断器が障害を除外できるように、抑制動作モードにおけるトリップ曲線８７、８９を修正し得る。操作者は、短時間ピックアップ閾値９５及び瞬間ピックアップ閾値８９を定義し得る。時間遅延又はＩ２ｔ領域９１の傾斜も、回路遮断器の反応時間を更に制御するために修正し得る。一般に、オーバライド領域が設けられる時、パラメータは、ユーザ定義可能ではなく、同一状態を維持する。以下に更に詳細に説明するように、ユーザ定義トリップ曲線８４、８６、８７、８９により、更に、操作者は、電気システムにおいて障害が生じた時に所望のトリッピング応答を可能にするために、ゾーン選択インタロックシステムを使用できる。
【００３３】
図５を参照して、回路遮断器間での協調及びゾーン選択インタロックシステムの実施形態例の方法を説明する。ＡＣＢ２６及びＭＣＣＢ４２を参照して動作の説明を行うが、これは例示的な目的のみを有することを理解されたい。同じ動作は、特許請求の範囲に記載の発明の対象範囲から逸脱することなく、ＭＣＣＢ４２とＭＣＣＢ４４との間又はＡＣＢ２６とＭＣＣＢ４４との間にも応用し得る。
【００３４】
下流ＭＣＣＢ４２のトリップユニット５４の動作プロセス１００は、ブロック１０２において開始され、ブロック１０４におけるＭＣＣＢ４２を流れる電流の監視へと進む。プロセス１００は、判断ブロック１０６へ進み、第一の障害状態閾値を超えたかを判断する。比較の対象となる閾値は、ユーザが選択できる。閾値は、短時間領域９６の二乗平均平方根（「ＲＭＳ」）値にしてよい。閾値は、瞬間トリップ領域９０内の標本値に基づいてもよい閾値は、接地障害又は長時間障害状態に基づいてもよい。ユーザは、更に、例えば、ＲＭＳ短時間値又は瞬間標本値等、上記閾値の何れかを選択する権利を有する。何れかの閾値パラメータが充足された場合、判断ブロック１０６は、肯定応答を提供する。
【００３５】
瞬間領域９０の閾値状態が検出されない場合、ブロック１０６では否定応答が生じる。したがって、プロセス１００は、ブロック１０４へ戻り、電流の監視を継続する。プロセス１００は、当技術において周知である過負荷領域８８のタイプの障害を監視するステップを更に含むことを理解されたい。
【００３６】
ブロック１０６において肯定応答が得られた場合、プロセス１００は、ブロック１０８へ移行し、線１１０により表す選択的インタロック信号が上流ＡＣＢ２６へ即座に送信され、上流ＡＣＢ２６は更に以下に説明する処置を行う。信号送信後、プロセス１００は、ブロック１０４へ進み、電流の監視を継続する。
【００３７】
第一の閾値判断ブロック１０６と並行して、プロセス１００は、更に、ブロック１１１において、測定電流値を第二の基準と比較する。判断ブロック１１１では、瞬間領域閾値９０を超えたか、或いは短時間領域閾値９６の「累算器」を超過したかを判断する。短時間領域９６の入力電流は変化し得るため、短時間トリップアルゴリズムは、累算器を使用して、一定周期の期間に閾値を超えた回数を決定する。累算器が満杯になった後、又は瞬間閾値を超えた場合、判断ブロック１１１は、肯定応答を戻してブロック１１２へ進む。ブロック１１２において、トリップユニット５４は、ＭＣＣＢ４２の動作機構を起動し、主接点を分離させ、ＭＣＣＢ４２から下流への電流の遮断を発生させる。プロセス１００は、ブロック１１４において停止し、操作者が検出障害状態を除去するための是正措置を行うのを待つ。判断ブロック１１１が否定を戻した場合、プロセス１００は、ブロック１０４へ戻り、電流を監視する。
【００３８】
上流回路遮断器のトリップユニット４８、例えば、ＡＣＢ２６は、ＭＣＣＢ４２のトリップユニット５４とは独立且つ並行して動作する。トリップユニット４８を動作させるプロセス１１６は、開始ブロック１１８で始まり、問い合わせブロック１２０へ進み、下流回路遮断器ＭＣＣＢ４２から選択インタロック信号１１０が受領されたかを判断する。実施形態例において、選択インタロック信号１１０は、上流ＡＣＢ２６のトリップユニット４８内のコントローラ６６に対する割り込みとなる。これにより、選択インタロック信号１１０に反応するプロセス１１６内のステップは、ＡＣＢ２６の動作内において素早く優先権を得られる。
【００３９】
判断ブロック１２０において否定が生じた場合、プロセス１１６は、判断ブロック１２２へ進み、コントローラ６６は、非抑制トリップ曲線８６を使用して、過負荷又は瞬間領域において障害が検出されたかを判断する。判断ブロック１２０において否定が生じた場合、プロセス１１６は、ブロック１１８へ戻り、電流の監視を継続する。判断ブロック１２０において肯定が生じた場合、ＡＣＢ２６は、ブロック１２４において動作機構を起動し、主接点の開放と、ＡＣＢ２６から下流への電流の遮断とを発生させる。プロセス１１６は、その後、ブロック１２６において停止し、操作者が是正措置を行うのを待つ。
【００４０】
選択インタロック信号１１０を受領した場合、判断ブロック１２０では、肯定応答を戻す。プロセス１１６では、ＡＣＢ２６の動作を抑制動作モードに切り替える。抑制動作モードにおいて、プロセス１１６では、例えば、曲線８６からトリップ曲線８９等、上流回路遮断器のトリップ曲線を抑制動作モードに望ましいものに切り替える。プロセス１１６は、その後、ブロック１２２へ進み、ユーザ定義抑制モードトリップ曲線８９を使用して障害が生じたかを判断する。
【００４１】
ユーザ定義トリップ曲線８９への以降は、更に、ＡＣＢ２６の応答を遅延させ、下流回路遮断器に障害を除外する機会を与える効果を有することを理解されたい。これが達成されるのは、ユーザ定義短時間領域９５、Ｉ２ｔ時間遅延領域９１、及び瞬間領域８９が、下流回路遮断器のトリップ曲線８７と重複しないためである。ブロック１３０におけるユーザ定義非抑制トリップ曲線８６からユーザ定義抑制トリップ曲線８９への変更後、プロセス１１６は、問い合わせブロック１２２へ戻る。ここで、障害が検出されたかを判断する。この配置により、下流回路遮断器であるＭＣＣＢ４２が電気的障害を十分に除外できない場合に、上流回路遮断器であるＡＣＢ２６が電流遮断機能を提供できるという利点がもたらされる。上記のように、電気的障害が検出された場合、ブロック１２４においてＡＣＢ動作機構が起動され、電流が遮断され、プロセス１１６はブロック１２６において停止する。電気的障害が検出されない場合、プロセス１１６は、ブロック１１８での電流の監視へ戻る。
【００４２】
プロセス１００、１１６は、任意の下流回路遮断器と上流回路遮断器との間で生じ得ることを理解されたい。更に、ＭＣＣＢ４２等の回路遮断器は、下流遮断器４４とＡＣＢ２６との間に位置決めし得る。本実施形態において、ＭＣＣＢ４４は、選択インタロック信号１１０を発信し、ＭＣＣＢ４２及びＡＣＢ２６は、共にプロセス１１６に従い、動作を相応に修正する。
【００４３】
上述のように、実施形態例において、操作者は、非抑制トリップ曲線８４、８６及び抑制トリップ曲線８７、８９の両方のパラメータを定義して、電気的障害の際に所望の回路遮断器システムを達成し得る。図６及び図７を参照して、トリップ曲線の各部分を完全に定義可能であることを示す。プロセス１５０は、操作者がユーザインタフェース４６上で適切な設定選択内容を選択することで、ブロック１５２において開始される。設定選択内容の起動により、操作者は、トリップ曲線の様々な部分を定義できる。最初に、決定ブロック１５４において、操作者は、修正したい曲線を選択できる。操作者が抑制曲線８９を修正したい場合、プロセス１５０は、ブロック１５６へ進み、操作者は、短時間ピックアップ閾値９５を調整することが可能となる。短時間ピックアップ閾値９５の調整は、矢印１５８が示す方向となる。
【００４４】
短時間閾値の調整後、プロセス１５０は、ブロック１５８へ進み、操作者は、Ｉ２ｔ時間遅延傾斜９１を調整できる。このパラメータは、二種類の方向において、矢印１６２が示す位置、或いは傾斜１６４の角度の何れかにより調整し得る。所望の選択を行った後、プロセス１５０はブロック１６６へ続き、操作者は、時間遅延領域９３を変更できる。このパラメータは、矢印１６８が示すように、トリップ曲線の時間軸に沿って調整し得る。一部の応用において、操作者は、例えば図４に示したように、時間遅延領域９３を有していない、或いは希望しない場合があることを理解されたい。
【００４５】
次に、プロセス１５０では、ブロック１７０において、操作者は、瞬間閾値を調整することが可能となる。この調整の方向は、矢印１７２により示している。操作者が全ての調整を行うと、プロセスはブロック１７４に至る。
【００４６】
ブロック１５４において、操作者が非抑制トリップ曲線８６を修正することを選択した場合、プロセス１５０は、ブロック１７６へ進み、操作者は、非抑制短時間ピックアップ閾値を修正することが可能となる。プロセス１５０は、その後、抑制トリップ曲線パラメータを参照して上述した方法と同様に進行する。したがって、操作者は、ブロック１７８において非抑制Ｉ２ｔ時間遅延、ブロック１８０において非抑制時間遅延、及びブロック１８２において非抑制瞬間ピックアップ閾値を修正できる。パラメータが修正されると、プロセスはブロック１７４に至る。
【００４７】
次に図８を参照すると、三つ以上の回路遮断器が回路遮断器システム内に配置される時、抑制及び非抑制トリップ曲線の両方を調整する能力は、更なる利点をもたらすことが分かる。図８は、回路内で直列に配置された四つの回路遮断器を有する回路遮断器システム用のトリップ曲線の一部を示している。各回路遮断器用の非抑制トリップ曲線は、実線２００、２０２、２０４、２０６により表される。抑制曲線は、破線２０８、２１０、２１２により表された抑制曲線が隣接する下流回路遮断器のそれぞれの非抑制トリップ曲線を下回るように調整し得る。したがって、非抑制及び抑制トリップ曲線の両方を調整する柔軟性により、操作者は、高レベルの障害時に、システム内のどの回路遮断器がトリップするかを選択できる。
【００４８】
回路遮断器システム２２０の別の実施形態例を図９に示す。回路遮断器２２２、２２４、２２６は、図１０に示したような非抑制トリップ曲線２２８、２３０、２３２をそれぞれ有し、図１１に示したような抑制トリップ曲線２３４、２３６、２３８をそれぞれ宇揺するようにプログラムされる。回路遮断器システム２２０は、電源２４０と負荷２４２との間に配置される。
【００４９】
非抑制モードにおいて、トリップ曲線２２８、２３０、２３２は、回路遮断器２２２、２２４、２２６にそれぞれ使用され、それぞれの保護区域２４４、２４６の一方において障害が発生した場合、例えば、区域２４４及び回路遮断器２２２等、その区域を担当する回路遮断器は、非抑制トリップ曲線２２８に従って障害を除去する。
【００５０】
例えば、回路遮断器２２６等の下流回路遮断器が障害を検出した場合には、インタロック信号が上流回路遮断器２２２、２２４へ送信される。上流回路遮断器は、本明細書において上述した方法及びシステムを使用して、抑制トリップ曲線２３４、２３６へ切り替わる。一部の応用において、操作者は、特定の条件下で、例えば回路遮断器２２４等の中間回路遮断器の前に、例えば回路遮断器２２２等の更なる上流回路遮断器がトリップすることを希望する場合がある。抑制及び非抑制トリップ曲線の両方がユーザ定義であり、非抑制トリップ曲線が最速のデフォルト曲線であることを強制されないため、上流回路遮断器のトリップ曲線は、インタロック状態を維持したまま、中間回路遮断器に重複し得る。
【００５１】
例えば、負荷において、線２５０が表す大きさで障害が発生したとする。この状況では、障害のレベルが回路遮断器２２２、２２４の短時間及び瞬間閾値を下回るため、下流回路遮断器２２６が障害を除外する。しかしながら、障害のレベルが線２５２により示すものまで増加した場合、障害のレベルは下流回路遮断器２２６の容量を上回るため、中間回路遮断器２２４が障害を除去する。
【００５２】
操作者が更に上流の回路遮断器２２２に障害を除去させたい状況も存在し得る。回路遮断器２２２の抑制時間遅延領域２５６は、回路遮断器２２４の対応する時間遅延領域より下へ引き下げられる。これにより、回路遮断器２２２は、中間回路遮断器２２４の前に、電流を遮断することで障害を除去する。したがって、ユーザがそれぞれのトリップ曲線を定義可能にすることで、操作者は、広範な条件に渡り、障害の際のトリッピング応答において利益を得られ且つ所望の結果を達成し得る。
【００５３】
本明細書において開示した実施形態の機能は、ソフトウェア、ファームウェア、又はその何らかの組み合わせにおいて実現できる。一例として、開示した実施形態の一つ以上の態様は、例えば、コンピュータ使用可能な媒体を有する製造品（例えば、一つ以上のコンピュータプログラム製品）に含めることができる。媒体は、その内部において、例えば、本発明の機能を提供及び促進するコンピュータ読み取り可能なコード手段を実現する。製造品は、コンピュータシステムの一部として含めること、或いは別個に販売することが可能である。更に、機械により読み取り可能であると共に、開示実施形態の機能を実行するために機械により実行可能な命令の少なくとも一つのプログラムを具体的に実現する少なくとも一つのプログラム記憶装置を提供できる。
【００５４】
更に、本明細書に示した各図は、例に過ぎない。本発明の趣旨を逸脱することなく、本明細書で説明した各図又はステップ（又は動作）に対する多数の変形例が存在する。例えば、ステップは、異なる順序で実行し得る、或いはステップを追加、削除、又は修正し得る。こうした変化は、全て特許請求の範囲に記載の発明の一部と考えられる。ここに記載した説明は、例を使用して、最良の形態を含め、本発明を開示すると共に、任意のデバイス又はシステムの作成及び使用と、取り入れた任意の方法の実行とを含め、当業者が本発明を実現するのを可能にしている。本発明の特許可能な範囲は、特許請求の範囲により定義され、当業者が想到する他の例を含み得る。こうした他の例は、特許請求の範囲の字義通りの用語と相違ない構造要素を有する場合、或いは特許請求の範囲の字義通りの用語との差異が実質的なものではない等価構造要素を含む場合、特許請求の範囲に含まれるものとする。
【符号の説明】
【００５５】
２０  回路遮断器のシステム
２２  負荷
２４  電源
２６  回路遮断器（「ＡＣＢ」）
２８  施設
３０  副回路
３２  副回路
３４  副回路
３６  変圧器
３８  変圧器
４０  下層副回路
４２  下層回路遮断器
４４  下層回路遮断器
４６  ＡＣＢユーザインタフェース
４８  ＡＣＢトリップユニット
５０  ＡＣＢトリップユニットプロセッサ
５２  トリップユニット電流センサ
５４  ＭＣＣＢトリップユニット
５６  導体
５８  Ａ／Ｄコンバータ
６０  データ伝送媒体
６１  データ中継部
６２  ユーザインタフェースディスプレイへのコンジット
６４  ユーザインタフェースキーパッドへのコンジット
６６  コントローラ
６８  ＲＡＭ
７０  不揮発性メモリ
７２  ＲＯＭ
７４  Ｉ／Ｏコントローラ
７６  データ通信デバイス
７８  センサ
８０  データバス
８２  Ａ／Ｄコンバータ
８４  トリップ曲線（非抑制）
８６  トリップ曲線（非抑制）
８７  
８８  過負荷領域
８９  トリップ曲線（抑制）
９０  瞬間領域
９１  時間遅延Ｉ２ｔ領域
９２  過負荷領域
９３  時間遅延領域
９４  瞬間領域
９５  短時間閾値
９６  短時間ピックアップ
９７  
９８  短時間ピックアップ
９９  
１００  ＭＣＣＢ４２動作プロセス
１０２  開始ブロック
１０４  電流を監視
１０６  障害状態の問い合わせブロック
１０８  信号送信ブロック
１１０  選択インタロック信号線
１１１  第二の閾値決定ブロック
１１２  回路遮断器のトリッピング起動
１１４  停止ブロック
１１６  ＡＣＢ２６動作プロセス
１１８  開始ブロック
１２０  信号受領の問い合わせブロック
１２２  障害状態の問い合わせブロック
１２４  回路遮断器トリップブロック
１２６  停止ブロック
１２８  遅延応答ブロック
１３０  トリップ曲線切り替えブロック
１５０  プロセス（トリップ曲線定義）
１５２  設定選択起動ブロック
１５４  曲線選択決定ブロック
１５６  ＳＴ閾値調整ブロック
１５８  ＳＴ閾値調整方向
１６０  Ｉ２ｔ閾値調整ブロック
１６２  Ｉ２ｔ直線調整方向
１６４  Ｉ２ｔ角度調整方向
１６６  時間遅延調整ブロック
１６８  時間遅延調整方向
１７０  瞬間ピックアップ閾値調整ブロック
１７２  瞬間ピックアップ閾値調整方向
１７４  終了
１７６  非抑制ＳＴピックアップ調整ブロック
１７８  非抑制Ｉ２ｔ傾斜調整ブロック
１８０  非抑制時間遅延調整ブロック
１８２  非抑制瞬間ピックアップ調整ブロック
２００  回路遮断器１非抑制トリップ曲線
２０２  回路遮断器２非抑制トリップ曲線
２０４  回路遮断器３非抑制トリップ曲線
２０６  回路遮断器４非抑制トリップ曲線
２０８  回路遮断器１抑制トリップ曲線
２１０  回路遮断器２抑制トリップ曲線
２１２  回路遮断器３抑制トリップ曲線
２２０  回路遮断器システム
２２２  回路遮断器１
２２４  回路遮断器２
２２６  回路遮断器３
２２８  回路遮断器１非抑制トリップ曲線
２３０  回路遮断器２非抑制トリップ曲線
２３２  回路遮断器３非抑制トリップ曲線
２３４  回路遮断器１抑制トリップ曲線
２３６  回路遮断器２抑制トリップ曲線
２３８  回路遮断器３抑制トリップ曲線
２４０  電源
２４２  負荷
２４４  回路遮断器１保護区域
２４６  回路遮断器２保護区域
２５０  障害１
２５２  障害２
２５４  障害３
２５６  回路遮断器１の時間遅延領域
２５８  回路遮断器２の時間遅延領域
【図１】
0005438353.tif 000002
【図２】
0005438353.tif 000003
【図３】
0005438353.tif 000004
【図４】
0005438353.tif 000005
【図５】
0005438353.tif 000006
【図６】
0005438353.tif 000007
【図７】
0005438353.tif 000008
【図８】
0005438353.tif 000009
【図９】
0005438353.tif 000010
【図１０】
0005438353.tif 000011
【図１１】
0005438353.tif 000012